【事件の表示】
　特許第２８０２０４９号「スクロール表示装置」の請求項１ないし２に係る特許に対する特許異議の申立てについて、次のとおり決定する。
【結論】
　訂正を認める。
　特許第２８０２０４９号の請求項１ないし２に係る特許を維持する。
【理由】
１．手続の経緯
　特許第２８０２０４９号の請求項１乃び２に係る発明についての出願は、平成７年５月１８日に出願され、平成１０年７月１０日にその発明について特許の設定登録がなされたが、その特許について、特許異議申立人　倉島英雄より特許異議の申し立てがなされ、平成１１年６月９日付け及び、平成１１年１０月１３日付けで取消理由通知がなされたところ、平成１１年１０月１３日付け取消理由通知に対し指定期間内である平成１１年１０月１４日に訂正請求がなされたものである。
２．訂正の適否についての判断
ア．訂正の概要及び、その適否の判断
　特許権者が求めている訂正の内容は以下のとおりである。
ａ．請求項１の、「（１）〜（６）」の記載を「（１）〜（８）」と訂正するとともに、
「（６）前記各棒状表示器にその配列順につけた番号をｉとし、前記画像データの各列データに順番につけた番号をｊとし、５以上の整数をａとする。前記中央制御装置は、ｉ列目の前記棒状表示器をｊ列目の前記列データで表示ドライブするときに、（ｉ＋１）列目の前記棒状表示器を（ｊ−ａ）列目の前記列データで表示ドイブするように、前記各棒状表示器に対して前記画像データを分配する。」の記載の後に「（７）前記各棒状表示器の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。」の記載を加える。
ｂ．請求項２の、「（１）〜（６）」の記載を「（１）〜（８）」と訂正するとともに、
「（６）前記各発光セル列にその配列順につけた番号をｉとし、前記画像データの各列データに順番につけた番号をｊとし、５以上の整数をａとする。前記中央制御装置は、ｉ列目の前記発光セル列をｊ列目の前記列データで表示ドライブするきに、（ｉ＋１）列目の前記発光セル列を（ｊ−ａ）列目の前記列データで表示ドライブするように、前記各発光セル列に対して前記画像データを分配する。」の記載の後に「（７）前記各発光セル列の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。」の記載を加える。
ｃ．明細書【０００７】の「（１）〜（６）」の記載を「（１）〜（８）」に訂正する。
ｄ．同【０００７】の「分配する。また好ましくは」の記載を「分配する。
（７）前記各棒状表示器の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。
　また好ましくは」と訂正する。
ｅ．同【００１５】の「一実施例による」の記載を「実施例の導入説明に用いる」に訂正する。
ｆ．同【００２１】、【００２２】、【００２３】、【００３６】の「実施例」の記載を「説明」と訂正する。
ｇ．同【００２２】の「この発明はこのような回路方式に限定されるものではない。」の記載を削除する。
ｈ．同【００２３】の「例えば、」の記載を「一方、この発明の実施例では、」と訂正する。
ｉ．同【００２３】の「各ドライブ回路に各列データを転送して分配する回路方式を採用する場合、」の記載を「各ドライブ回路に各列データを選択的に転送して分配する回路方式を採用する場合、」と訂正する。
ｊ．同【００２４】の「示している。図５に示すように、」の記載を「示している。この実施例は、表示ドライブの１周期ごとに画像メモリから各ドライブ回路に各列データを直列転送して分配する回路方式となっている。図５に示すように、」と訂正する。
ｋ．図面の詳細な説明【図１】の「一実施例による」の記載を「実施例の導入説明に用いる」と訂正する。
　上記ａ及びｂに関する記載として、「ドライブ回路ＤＳｉは、１６ビットのシフトレジスタ５１と、１６ビットのラッチ回路５２と、１６ビットのドライバ５３を一体化したものである。」（明細書【００２４】）、「この（１６×ｎ）ビットシフトレジスタに中央制御装置２からｎ列分の列データを直列入力することで、ｎ個の１６ビットシフトレジスタ５１にそれぞれ１６ビットの列データを与えたことになる。この時点で中央制御装置２から各ドライブ回路ＤＳｉにラッチ信号を与え、シフトレジスタ５１のデータをラッチ回路５２に移し、そのデータによりドライバ５３で各ＬＥＤ１を駆動する。同時に各シフトレジスタ５１のデータを更新する。以上の動作を繰り返すことでスクロール表示が行われる。」（明細書【００２６】）の記載がある。
　したがって、上記ａ及びｂに関する訂正は明細書に記載された事項の範囲内で、ドライブ回路の構成及び、その動作を減縮し明瞭にしたものといえるから、不明瞭な記載の釈明に該当するものであって、新規事項の追加に該当せず、また、実質上特許請求の範囲を拡張し、または変更するものではない。
　上記ｃ、ｄの訂正は明細書の特許請求の範囲に対応した記載を、特許請求の範囲の訂正に合わせて訂正するものであるから、不明瞭な記載の釈明である。
　上記ｅ乃至ｈ、及びｋの訂正は、上記請求の範囲の減縮に伴い、訂正前の実施例の一つが、訂正後の請求の範囲に含まれなくなったため、実施例から除外する訂正であるから、不明瞭な記載の釈明である。
　上記ｉ、ｊの訂正は、上記請求の範囲の減縮に伴い、訂正前の実施例の一つが、訂正後の請求の範囲に含まれなくなったため、実施例から除外するとともに、各列データの分配する方式を、当該記載の後に記載された実施例に則した記載に改めたものであるから、不明瞭な記載の釈明である。
イ．独立特許要件の判断
▲１▼特許法第３６条について
　上記訂正により、当審が平成１１年６月９日付け及び平成１１年１０月１３日付け取消理由通知書で指摘した記載不備は解消した。
▲２▼特許法第２９条について
　訂正明細書の請求項１乃び２に係る発明（以下、それぞれ、本件発明１乃び２という）は、その特許請求の範囲の請求項１乃び２に記載された下記のとおりのものである。
　【請求項１】　つぎの各要件（１）〜（８）を備えたスクロール表示装置。
（１）ｍ個の発光セルが小さな一定間隔ｄ１で直線状に配列されて棒状表示器が形成されている。
（２）ｎ本の前記棒状表示器が前記ｄ１の５倍以上の一定間隔ｄ２で平行に配列されている。
（３）前記各棒状表示器の配列の間隔部分の多くは空間になっている。
（４）前記各棒状表示器が帯状に連なる帯状物理領域が形成されている。この帯状物理領域に含まれる（ｍ×ｎ）個の発光セル群がビットマップ形式の画像データに従って駆動され、前記帯状物理領域の一端から他端に向けて画像がスクロール表示される。
（５）前記各棒状表示器のドライブ回路に画像データを分配するとともに全体を同期制御してスクロール表示を行うための中央制御装置がある。この中央制御装置と前記各ドライブ回路とがデータ伝送系で結合されている。
（６）前記各棒状表示器にその配列順につけた番号をｉとし、前記画像データの各列データに順番につけた番号をｊとし、５以上の整数をａとする。前記中央制御装置は、ｉ列目の前記棒状表示器をｊ列目の前記列データで表示ドライブするときに、（ｉ＋１）列目の前記棒状表示器を（ｊ−ａ）列目の前記列データで表示ドライブするように、前記各棒状表示器に対して前記画像データを分配する。
（７）前記各棒状表示器の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。
　【請求項２】　つぎの各要件（１）〜（８）を備えたスクロール表示装置。
（１）棒状の実装体にｍ個の発光セルが取り付けられ、これらｍ個の発光セルが小さな一定間隔ｄ１で直線状に配列されて発光セル列が形成されている。
（２）ｎ本の前記発光セル列が前記ｄ１の５倍以上の一定間隔ｄ２で平行に配列されている。
（３）前記各発光セル列の前記棒状実装体の配列の間隔部分の多くは空間になっている。
（４）前記各発光セル列が帯状に連なる帯状物理領域が形成されている。この帯状物理領域に含まれる（ｍ×ｎ）個の発光セル群がビットマップ形式の画像データに従って駆動され、前記帯状物理領域の一端から他端に向けて画像がスクロール表示される。
（５）前記各発光セル列のドライブ回路に画像デ−タを分配するとともに全体を同期制御してスクロール表示を行うための中央制御装置がある。この中央制御装置と前記各ドライブ回路とがデータ伝送系で結合されている。
（６）前記各発光セル列にその配列順につけた番号をｉとし、前記画像データの各列データに順番につけた番号をｊとし、５以上の整数をａとする。前記中央制御装置は、ｉ列目の前記発光セル列をｊ列目の前記列データで表示ドライブするときに、（ｉ＋１）列目の前記発光セル列を（ｊ−ａ）列目の前記列データで表示ドライブするように、前記各発光セル列に対して前記画像データを分配する。
（７）前記各発光セル列の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。
　本件発明１及び２に対して、当審が平成１１年６月９日付け取消理由通知で引用した刊行物１及び２には下記のとおりの記載がある。
刊行物１：特公昭５７−２７４７９号公報
「１．表示スクリーン上に表示すべき図形を発生する装置。この装置としては、けん盤またはテレタイプ装置または磁気テープまたはこれらに類するコード源が使用できる。
２．図形を記憶し、それを表示スクリーン上へ供給するのに適する形式に整理するためのプロセッサ装置または記憶装置。いずれの型においても、表示スクリーンに供給されるデータはディジタル形式、すなわち１または０の形式を与えられる。１は光源を発光せしめる命令として、０は光源をオフ状態に保つ命令として、あるいは以上の逆の命令として、用いられる。
３．該プロセッサ装置または記憶装置を表示スクリーンに結合せしめるデータ線路または線路群。
４．表示スクリーン。以下の説明のため、表示スクリーンは、それぞれが１６個のＬＥＤ（発光ダイオード）を有する３２個の列からなり、その各列は、７列の空虚列を有する間隔をもって配置され、光源を有する１列の幅は表示すべき図形の１列の幅を代表しているものとする。（１列に包含される光源の数、光源の種類、表示スクリーンに包含される列の数、および列の間の幅は、すべて変化させることができ、固定的なものではない。ここで選択した値は、便宜的に決めたものである）。」（公報１０欄２３行−１１欄２行）
「第１図において、１は表示スクリーンで、その一部のみが示されている。２および３は、ともに垂直列であり、それぞれ１６個のＬＥＤ（発光ダイオード）を包含している。４はこれらの列の間のギャップを示しており、このギャップは７列から成り、これらの列はいずれも光源を有していないので「空虚」列と呼ぶ。この構造、すなわち、１６個の光源を有する垂直列の次に７列の空虚列が続く構造は、表示スクリーンの面上で繰返され、１６個の光源を有する列が３２列設けられる。従って、空虚列は３１×７＝２１７列あることになり、全列数は２４９列となる。（次次にモジュールを追加することによって長い表示装置を形成しするためには、３２番目のＬＥＤ行の次に空虚列が７列必要となるから、全列数は２５６列となる。）表示スクリーン上には３２×１６＝５１２個のＬＥＤが存在する。また、表示スクリーン上には、それぞれが３２個の光源を有する光源行が１６行存在する。
　５は文字発生器であり、メッセージを構成するデータの供給を受けて、それを表示スクリーンへ伝送するのに適する形式に編成する。この実施例においては、スクリーンの各列に１６個のＬＥＤがあるので、文字発生器は表示すべき図形を行に分け各列が１６ビットを包含するように編成する（それぞれのＬＥＤに１ビットが対応する）。これらのビットは１または０となって、それぞれ関連するＬＥＤに対する「オン」または「オフ」の命令を表わす。１列に対する全情報を含有するこれらの１６ビットは、１６ビット語と呼ばれる。
　・・
　６は、文字発生器から表示スクリーン上の１６行の光源の各行に行く１６個のデータ線路である。これらのデータ線路は、文字発生器内で文字の各列の適当なビットに結合しており、列の最上ビットが表示スクリーン上の第１行に対応し、上から数えての第２のビットが第２行に対応し、以下同様に対応している。
　第２図に示されているように、表示スクリーン上の各ＬＥＤ１５には、アンドゲート１３とラッチ（ＳＣＲ）１４とが接続されている。
　特定の列内の全てのＬＥＤに対する各アンドゲートの一方の入力には、共通のデータ線路７が接続されており、このデータ線路７はさらに適当な一つのデータ線路６に接続されている。
　第２図において、アンドゲート１３に接続するデータ線路７は第１図のデータ線路７に相当し、行参照信号を与える。また、ストロボ線路１２は第１図の線路１２に相当し、列参照信号を与える（これらのことについては後に説明する）。アンドゲート１３は、トリガパルスによってＳＣＲ駆動・ラッチ装置１４をオン状態にする。すると、ＳＣＲ駆動・ラッチ装置１４は、ＬＥＤ１５がオン状態になっているべき時間間隔の間オン状態に固定される。この時間間隔は、この例の場合１０ミリ秒である。
　表示装置が駆動せしめられると、文字発生器は、後の文字発生器についての説明で述べるように、情報を１６ビット語で供給し始める。それぞれの１６ビット語が供給される際に、ビット１が存在すれば、線路６を経て適当なデータ線路７に直流電圧が伝送され、その行のそれぞれのアンドゲート１３の一方の入力に加わる。
　列参照信号は、デコーダ・カウンタ８によって与えられるのであるが、これは文字発生器から発生するメッセージの列を数えるカウンタと、それらが表示スクリーン上の光源を有する列に対応する場合を決定するデコーダと、から成る。このデコーダ・カウンタ８には、空虚列および光源列の両者の一つ一つに対応する出力９がある。しかし、実際に用いられるのは、第１列、第９列、第１７列、などの光源列に結合する出力のみである。デコーダ・カウンタ８の出力９は、ストロボ線路１０によって適当な列に接続されている。すなわち、各列の背後において、その列の全てのＬＥＤ１５に関連するアンドゲート１３の第２入力が互いに接続され、この垂直リンク１２が適当なストロボ線路１０に接続されている。このようにして、各ＬＥＤ１５は、関連するアンドゲート１３を経て列および行の参照信号を受けることによって、個々にアドレッシングを受けることができる。
　デコーダ・カウンタ８は、次のようにして列参照信号を発生する。
　文字発生器５から文字の各列が送信される時、パルスが線路１１を経てデコーダ・カウンタ８に送られる。このパルスは、線路６上のデータが「妥当」なものであることを示す作用を有する。このパルスはまた、新しい列が送信されるたびにデコーダ・カウンタ８を１段階進めて、列数のカウントを行なう作用をも有する。すなわち、デコーダ・カウンタ８は、文字発生器５と同期しているということができる。文字発生器が第１列を読取ると、デコーダ・カウンタ８は線路１０を経て表示スクリーン１上の第１列にパルスを送る。」（公報第１３欄２６行−１６欄３０行）
「ＲＡＭ２０は、本実施例においては１０２４個の単一図形を記憶することができる。容易に参照できるようにするため、この記憶内容を任意に８個の部分すなわちページに分割すると、それぞれのページは１２８個の単一図形を含有することになる。ページ参照信号はけん盤（図示されていない）から、３ビット・アドレス信号として発生せしめられる。このアドレス信号は、けん盤インタフェイスからＡＳＣＩＩコードによって、線路２２を経てＲＡＭ制御装置２３へ伝送される。ＲＡＭ制御装置２３は、アンドゲート、オアゲートおよび他のこれに類する論理回路によって構成されている。
　このＲＡＭ制御装置２３は、ＲＡＭ２０の内部機構および、ＲＡＭ２０と文字発生器５との間の機構を調整する。制御装置２３からはメッセージ自体が線路２４を経てＲＡＭ２０に供給され、一方、ページ参照信号が線路２６を経てページ・ラッチ２５と呼ばれるラッチに供給される。
　従って、最初の５ページを必ずしも満たす必要なく、第６ページに図形を記憶させることが可能となる。
　いったん図形がＲＡＭ２０に記憶されると、それは線路２１を経てステップまたは走査の系列をなして文字発生器５に供給される（第１図参照）。
　表示スクリーン１は一定の長さを有するので、各走査も一定の長さを有するか、テキストに対して行なわれるこれらの走査の進行過程中に、それぞれの走査の始点と終点は変化することができる。二つの変数、すなわち、走査の始点と走査の長さとは二つのレジスタによって制御される。それらの一方は走査レジスタ２７と呼ばれ、他方は多重化レジスタ２８と呼ばれる。走査レジスタ２７は、ＲＡＭ内のテキストに対する特定の走査の始点を定める。その最初の位置は、ページ・ラッチ２５によって与えられる。多重化レジスタ２８は、走査レジスタ２７によって指示された点から出発して、テキストの長さに沿って相次ぐアドレス位置に進み、それぞれの個々の図形を文字発生器５（第１図）に次々に供給する動作を、テキスト中でテキストの終りを表わす指令に出会うまで、または、表示スクリーン１が満たされたことすなわち完全に走査されたことを表わす信号を受けるまで、続行する。このことが起こると、多重化レジスタ２８は、走査レジスタ２７によって指示された値に復帰する。多重化レジスタ２８がそれぞれの走査を完了するためには、わずか６４０マイクロ秒程度しかかからない。この並列型の場合は、時分割多重化方式が用いられる。
　・・
　両レジスタ２７および２８は、個々の図形をアドレスし、これらの図形は文字発生器内において始めて適当な行に分解され、それらの列はそこから表示スクリーン１に伝送される。
　表示スクリーン１上では、それぞれの表示状態期間ごとに図形１行の速さで、図形は所望の移動方向に進められる。
　各表示状態が変化する場合の、変化の進行は、ＲＡＭ２０によってではなく、それぞれの列が存在する文字発生器５によって制御されなくてはならない。
　表示状態期間の長さは、文字発生器５内にあるタイマ４７によって制御される。このタイマ４７は、適当な一定の時間間隔を与えるように調節されるのであるが、本実施例の場合は前述のようにこの時間間隔は１０ミリ秒である。それぞれの表示状態期間の終了時に、タイマ４７は線路４９を経て状態カウンタ４８を呼ばれるアップ・カウンタにパルスを送る。このパルスは、状態カウンタを１だけ増進させる。最初の表示状態期間が始まる時に、状態カウンタ４８はゼロにセットされる。最初の表示状態期間について次に説明する。
　説明の都合上、表示スクリーン上に現われる図形は観察者の右から観察者の左へ移動するものとする。従って、図形は右端から始まってスクリーンをゆっくり横切るか、または、一瞬のうちにスクリーンをいっぱいにし、その後左端に進んで消えて行く。この例においては後者の場合を仮定ることにする。この場合の最初の表示状態においては、スクリーンの左端部の一つの図形は進行を先導しており、それぞれの新しい表示状態期間ごとにこの図形の列は左端から「消失」してこの図形は短くなっていく、すなわち、この図形は減少状態にある、という点において、この図形は他の個々の図形とは異なっている。そこで、この先導図形に対しては、「進行行」を形成している他の諸文字とは異なる説明が必要となる。状態カウンタ４８は、この先導図形に関連ている。状態カウンタ４８に０が置数されているときは、先導図形の第１列（左から右に数える）は表示スクリーン上にあるが左端にぶつかっていることを意味している。第１表示状態期間の終了時に、タイマ４７は状態カウンタ４８にパルスを送りその数を１だけ増加せしめて１を置数する。このことは、先導図形の１列が表示スクリーンの左端から消失して、それに続く全ての列が所望の移動方向に１位置だけ進行したことを意味する。
　状態カウンタ４８は、これを次のようにして行なう。すなわち、状態カウンタ４８は、文字発生器によって提示されている先導図形の列数と状態カウンタのカウント数とが等しくなるまで、デコーダ・カウンタ８を無効化しておく。状態カウンタ４８に付随して、状態ダウン・カウンタと呼はれるダウン・カウンタ５０が備えられている。各走査の始めに、この状態ダウン・カウンタ５０は状態カウンタ４８内の数をロードされる。（状態カウンタ４８内の数は各表示状態期間ごとに変化するが、１表示状態期間中の１５走査のそれぞれの間は一定に保たれる。）状態ダウン・カウンタ５０内の数は、線路１１上のパルスによって減少せしめられ、それが０になるとデコーダ・カウンタ８は有効化される。もし状態カウンタが任意の時刻に、例えば２を置数されていたとすれば、このことは先導図形の最初の２列が左端から消失していったことを意味する。このとき文字発生器５は、線路１１を経て二つのパルスをデコーダ・カウンタに送り終っている。これらのパルスを受けている間デコーダ・カウンタ８は、状態ダウン・カウンタ５０により線路５１を経て、無効化されている。いま、状態カウンタのカウント数と、阻止状態にあったデコーダ・カウンタに送られたパルス数とが一致したことにより、デコーダ・カウンタ８は阻止状態が解除され、デコーダ・カウンタ８が受ける最初の情報は第３列の情報となり、デコーダ・カウンタ８はこの情報を表示スクリーン１の第１列に送信する。
　以上の過程は、タイマ４７が、表示スクリーン上の先導図形を構成している全ての列を処理するのに十分な表示状態期間数を数え終るまで続行される。
　・・
　このようにして、文字発生器５は走査レジスタ２７を、図形に沿ってのその出発点を次第に移動させながら制御する。文字発生器５はまた、ＲＡＭ２０に対する多重化レジスタ２８をも制御する。走査レジスタ２７と同様に、多重化レジスタ２８も個々の図形を供給するが、しかし、そのスクリーン１上の進行速度は一時に１列であり、各列は文字発生器内にある。多重化レジスタ２８は、新しい個別図形に進むときは信号を受けるようになっていなければならない。
　・・
　以上においては、単一図形および個別図形の系列が表示スクリーン上に表示される過程と、これらの諸文字に関する情報が進行して行く過程とを説明した。この説明の途中で、１０ミリ秒の表示状態期間を与えるタイマ４７についても述べた。この表示状態期間は、３２ページにおいて述べた時間間隔と関係している。この時間間隔は、通常の観察者に対し見かけ移動の錯覚を与える上できわめて重要であることは、すでに本明細書において明らかにした通りである。もし、それぞれの表示状態期間が１０ミリ秒であり、かつ、Ｃ＝７であれば、該時間間隔は８０ミリ秒になる。しかしここで強調しておかなくてはならないのは、この時間間隔が固定されたものではないことである。特定の装置において実際的に最良の時間間隔は、前述の範囲内で実験的に定められる。」（公報２４欄２８行−２９欄最下行）
刊行物２：実公平４−６０５５号公報
　「本考案は、少数の発光素子で３次元ディスプレイ（立体表示）を行う立体表示装置を提供することを目的とするものである。」（公報１欄１３−１５行）
　「第２図において棒状の表示バー２には、発升ダイオードのような発光素子１が多数一直線上に配置してある。駆動部３は表示バー２を発光素子１の配列方向と交差する方向、つまり直交方向に周期運動により移動させるものである。また、この駆動部３は、表示バー２の各発光素子１を電気的に駆動制御するものである。すなわち、発光素子１は表示バー２と同期がとられており、表示バー２が移動する途中において適当な位置にきたときに、表示しようとする必要な発光素子１を点滅制御するものである。表示パターンは、ドットマトリックスで作成するのでパターンを自由に作成できるものである。そして、表示バー２の発光素子１が点灯することで、人間の目では残像効果により、連続した平面の表示（パターン）としてこれが見えるものである。
　第１図は上記表示バー２と駆動部３とで構成される表示装置本体を複数設けた実施例を示すものである。すなわち、各表示装置本体はベース４内に奥行き方向に配設され、ベース４の上面に横方向に穿設されたガイド溝５より表示バー２を上方へ突出してある。・・従って、各表示バー２によって複数の平面ディスプレイが行なえる。各々の平面ディスプレイは奥行き方向に配置されることになる。１本１本の表示バー２は動きながら人間の目の残像効果を利用して表示を行っているので、人間の目にはディスプレイのパターンが見えながら、向こう側の景色も同時に見えることになる。従って、人間の目では、奥行き方向に並んだ複数の平面ディスプレイを同時に見ることができる。すなわち、全体として立体表示が行なえるものである。」（公報１欄１８行−３欄９行）
　そして、第１図及び第７図には、表示装置が、棒状の表示バーとその間に設けられた空間とを有し、表示バー上には複数の発光素子を有し、上記表示装置で表示を行っているものが見て取れる。
（対比・判断）
　本件発明１及び２と上記刊行物１乃び２に記載の発明とを対比すると、上記いずれの刊行物に記載の発明にも、本件発明１及び２を特定する事項である「（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。」が記載されておらず、当該事項により本件発明１及び２は、「表示ドライブの１周期ごとに画像メモリから各ドライブ回路に各列データを選択的に転送して分配する回路方式を採用する場合、画像データに動画像の要素を含めることができる。つまり、画像メモリから各ドライブ回路にデータを分配する処理と並行的に、画像メモリのデータを書き換える処理を実行して、画像データに時間的変化を与えることで、スクロール表示される画像を動画的に変化させることができる。」という格別の作用を有するものであり、本件発明１及び２が上記刊行物１に記載のものから容易に発明をすることができたものとはいえない。
　よって、本件発明１乃び２は特許出願の際独立して特許を受けることができるものである。
ウ．むすび
　以上のとおりであるから、上記訂正は、特許法第１２０条の４第２項および同条第３項で準用する第１２６条第２−４項の規定に適合するので、当該訂正を認める。
３．特許異議の申し立てについて
ア．申立の概要
　特許異議申立人は特許異議申立時に、証拠として甲第１号証（当審が上記取消理由通知書で引用した刊行物１とその内容は同じである）を提出し、本件発明１及び２は、甲第１号証に基づき当業者が容易に発明できたものであるから特許法第２９条第２項の規定に該当し、本件発明の特許は、特許法第１１３条第１項第２号の規定により取り消されるべきである旨主張している。
イ．判断
　異議申立人が提出した甲第１号証には本件発明１及び２を特定する事項である「（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。」が記載されていないことは上記２．イ．▲２▼のとおりであり、当該事項により本件発明１及び２は、「表示ドライブの１周期ごとに画像メモリから各ドライブ回路に各列データを選択的に転送して分配する回路方式を採用する場合、画像データに動画像の要素を含めることができる。つまり、画像メモリから各ドライブ回路にデータを分配する処理と並行的に、画像メモリのデータを書き換える処理を実行して、画像データに時間的変化を与えることで、スクロール表示される画像を動画的に変化させることができる。」という格別の作用を有するものであり、本件発明１及び２が上記甲第１号証に記載のものから容易に発明をすることができたものとはいえない。
ウ．むすび
　以上のとおりであるから、特許異議申立の理由および、証拠によっては、本件発明１及び２の特許を取り消すことはできない。
　また、他に本件発明１及び２の特許を取り消すべき理由を発見しない。
　よって結論のとおり決定する。
【異議決定日】
平成１１年１１月９日（１９９９．１１．９）
【訂正の要旨】
ａ．請求項１の、「（１）〜（６）」の記載を「（１）〜（８）」と訂正するとともに、「（６）前記各棒状表示器にその配列順につけた番号をｉとし、前記画像データの各列データに順番につけた番号をｊとし、５以上の整数をａとする。前記中央制御装置は、ｉ列目の前記棒状表示器をｊ列目の前記列データで表示ドライブするときに、（ｉ＋１）列目の前記棒状表示器を（ｊ−ａ）列目の前記列データで表示ドライブするように、前記各棒状表示器に対して前記画像データを分配する。」の記載の後に「（７）前記各棒状表示器の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。」の記載を加える。
ｂ．請求項２の、「（１）〜（６）」の記載を「（１）〜（８）」と訂正するとともに、「（６）前記各発光セル列にその配列順につけた番号をｉとし、前記画像データの各列データに順番につけた番号をｊとし、５以上の整数をａとする。前記中央制御装置は、ｉ列目の前記発光セル列をｊ列目の前記列データで表示ドライブするときに、（ｉ＋１）列目の前記発光セル列を（ｊ−ａ）列目の前記列データで表示ドライブするように、前記各発光セル列に対して前記画像データを分配する。」の記載の後に「（７）前記各発光セル列の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。」の記載を加える。
ｃ．明細書【０００７】の「（１）〜（６）」の記載を「（１）〜（８）」に訂正する。
ｄ．同【０００７】の「分配する。また好ましくは」の記載を「分配する。
（７）前記各棒状表示器の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。
　また好ましくは」と訂正する。
ｅ．同【００１５】の「一実施例による」の記載を「実施例の導入説明に用いる」に訂正する。
ｆ．同【００２１】、【００２２】、【００２３】、【００３６】の「実施例」の記載を「説明」と訂正する。
ｇ．同【００２２】の「この発明はこのような回路方式に限定されるものではない。」の記載を削除する。
ｈ．同【００２３】の「例えば、」の記載を「一方、この発明の実施例では、」と訂正する。
ｉ．同【００２３】の「各ドライブ回路に各列データを転送して分配する回路方式を採用する場合、」の記載を「各ドライブ回路に各列データを選択的に転送して分配する回路方式を採用する場合、」と訂正する。
ｊ．同【００２４】の「示している。図５に示すように、」の記載を「示している。この実施例は、表示ドライブの１周期ごとに画像メモリから各ドライブ回路に各列データを直列転送して分配する回路方式となっている。図５に示すように、」と訂正する。
ｋ．図面の詳細な説明【図１】の「一実施例による」の記載を「実施例の導入説明に用いる」と訂正する。
（５４）【発明の名称】
スクロール表示装置
（５７）【特許請求の範囲】
　【請求項１】　つぎの各要件（１）〜
（８）
（１）ｍ個の発光セルが小さな一定間隔ｄ１で直線状に配列されて棒状表示器が形成されている。
（２）ｎ本の前記棒状表示器が前記ｄ１の５倍以上の一定間隔ｄ２で平行に配列されている。
（３）前記各棒状表示器の配列の間隔部分の多くは空間になっている。
（４）前記各棒状表示器が帯状に連なる帯状物理領域が形成されている。この帯状物理領域に含まれる（ｍ×ｎ）個の発光セル群がビットマップ形式の画像データに従って駆動され、前記帯状物理領域の一端から他端に向けて画像がスクロール表示される。
（５）前記各棒状表示器のドライブ回路に画像データを分配するとともに全体を同期制御してスクロール表示を行うための中央制御装置がある。この中央制御装置と前記各ドライブ回路とがデータ伝送系で結合されている。
（６）前記各棒状表示器にその配列順につけた番号をｉとし、前記画像データの各列データに順番につけた番号をｊとし、５以上の整数をａとする。前記中央制御装置は、ｉ列目の前記棒状表示器をｊ列目の前記列データで表示ドライブするときに、（ｉ＋１）列目の前記棒状表示器を（ｊ−ａ）列目の前記列データで表示ドライブするように、前記各棒状表示器に対して前記画像データを分配する。
（７）前記各棒状表示器の前記ドライブ回路はｍ個の前記発行セルに対応したシフトレジスタとラッチ回路とドライバを一体化したものである。
（８）前記中央制御装置は、前記画像データからｎ列分の前記列データを選出して前記データ伝送系に直列出力し、それら各列データを前記シフトレジスタに分配して前記ラッチ回路に移すという動作を、表示ドライブの１周期ごとに、繰り返す。
　【請求項２】　つぎの各要件（１）〜
（８）
（１）棒状の実装体にｍ個の発光セルが取り付けられ、これらｍ個の発光セルが小さな一定間隔ｄ１で直線状に配列されて発光セル列が形成されている。
（２）ｎ本の前記発光セル列が前記ｄ１の５倍以上の一定間隔ｄ２で平行に配列されている。
（３）前記各発光セル列の前記棒状実装体の配列の間隔部分の多くは空間になっている。
（４）前記各発光セル列が帯状に連なる帯状物理領域が形成されている。この帯状物理領域に含まれる（ｍ×ｎ）個の発光セル群がビットマップ形式の画像データに従って駆動され、前記帯状物理領域の一端から他端に向けて画像がスクロール表示される。
（５）前記各発光セル列のドライブ回路に画像データを分配するとともに全体を同期制御してスクロール表示を行うための中央制御装置がある。この中央制御装置と前記各ドライブ回路とがデータ伝送系で結合されている。
（６）前記各発光セル列にその配列順につけた番号をｉとし、前記画像データの各列データに順番につけた番号をｊとし、５以上の整数をａとする。前記中央制御装置は、ｉ列目の前記発光セル列をｊ列目の前記列データで表示ドライブするときに、（ｉ＋１）列目の前記発光セル列を（ｊ−ａ）列目の前記列データで表示ドライブするように、前記各発光セル列に対して前記画像データを分配する。
（７）前記各発光セル列の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。
【発明の詳細な説明】
　【０００１】
　【産業上の利用分野】
　この発明は、高輝度ＬＥＤ（発光ダイオード）などの発光セルを２次元的に配列した発光セルアレイに文字や図形をスクロール表示する装置に関する。
　【０００２】
　【従来の技術】
　ＬＥＤなどの発光セルを一定間隔で縦横に配列したドットマトリクス型の表示パネルが一般に広く普及している。電車内の案内表示や商店の広告表示に使用されている簡便なＬＥＤ表示パネルでは、限られたサイズの表示パネルに主として文字列をスクロール表示している。例えば１６×１６ドットで１文字を構成するビットマップ形式の文字列データを順次生成し、例えば縦は１６ドットで横は少なくとも１６の数倍以上のドット数のドットマトリクス型表示パネルにスクロール表示する。
　【０００３】
　【発明が解決しようとする課題】
　例えば、前記のように横長のドットマトリクス型表示パネルに文字列を横方向に移動表示（スクロール表示）するものにおいて、一度に表示可能な文字数を増やすには、当然ながら表示パネルの横方向のドット数を増やさなければならない。
したがって、このような単純な表示パネルの拡大でも相当のコスト増加を伴う。
　【０００４】
　また大サイズの表示を行うべく、縦横に配列した発光セルの間隔を大きくして表示パネルの寸法を拡大したのでは、表示画像が非常に粗くなり、表示品質が著しく低下する。そこで、発光セルの間隔をそれほど増やさずに、発光セルの数を増やすことで表示パネルの寸法を拡大する。一方、３２×３２ドットで１文字を構成するなど、表示データの精細度を高くする。こうすることで、大サイズで高品質な表示を行える。しかし、これには著しいコスト増加を覚悟しなければならない。
　【０００５】
　また従来のドットマトリクス型表示パネルは、その寸法の大小にかかわらず、多数の発光セルを基板に実装してドライブ回路とともに偏平なパネル型ケースに収まっている。当然ながら、その表示パネルは剛体であり、自由に折り畳んだり（数分割程度は可能かもしれない）、小さく分解したり、縮めたり伸ばしたりするフレキシブルなものではない。ごく小型の表示パネルは全体を持ち運ぶことは容易であるが（商店の広告用表示パネルには可搬型のものもある）、この種の表示パネルの多くは所定の場所に固定的に設置されている。この装置形態が用途拡大のネックになっている面がある。
　【０００６】
　この発明は前述した従来の問題点に鑑みなされたもので、その目的は、少ない数の発光セルにより大サイズで精細な画像を視認できるスクロール表示装置を提供することにある。また、表示サイズより少し大きな寸法の剛体の表示パネルという装置形態ではなくて、設置状態で風圧をあまり受けない形態で、設置強度をそれほど大きくしなくても良く、表示画面の向こう側を見通すこと可能で、また折り畳み自在、分解自在、伸縮自在など、フレキシブルな装置形態をとれるスクロール表示装置を提供することにある。
　【０００７】
　【課題を解決するための手段】
　この発明のスクロール表示装置はつぎの要件（１）〜
（８）
（１）ｍ個の発光セルが小さな一定間隔ｄ１で直線状に配列されて棒状表示器（または発光セル列）が形成されている。
（２）ｎ本の前記棒状表示器が前記ｄ１の５倍以上の一定間隔ｄ２で平行に配列されている。
（３）前記各棒状表示器の配列の間隔部分の多くは空気が自由に流通する空間になっている。
（４）前記各棒状表示器が帯状に連なる帯状物理領域が形成されている。この帯状物理領域に含まれる（ｍ×ｎ）個の発光セル群がビットマップ形式の画像データに従って駆動され、前記帯状物理領域の一端から他端に向けて画像がスクロール表示される。
（５）前記各棒状表示器のドライブ回路に画像データを分配するとともに全体を同期制御してスクロール表示を行うための中央制御装置がある。この中央制御装置と前記各ドライブ回路とがデータ伝送系で結合されている。
（６）前記各棒状表示器にその配列順につけた番号をｉとし、前記画像データの各列データに順番につけた番号をｊとし、５以上の整数をａとする。前記中央制御装置は、ｉ列目の前記棒状表示器をｊ列目の前記列データで表示ドライブするときに、（ｉ＋１）列目の前記棒状表示器を（ｊ−ａ）列目の前記列データで表示ドライブするように、前記各棒状表示器に対して前記画像データを分配する。
（７）前記各棒状表示器の前記ドライブ回路はｍ個の前記発光セルに対応したシフトレジスタとラッチ回路とドライバを一体化したものである。
（８）前記中央制御装置は、前記画像データからｎ列分の前記列データを選出して前記データ伝送系に直列出力し、それら各列データを前記各シフトレジスタに分配して前記各ラッチ回路に移すという動作を、表示ドライブの１周期ごとに繰り返す。
　また好ましくは、棒状の実装体にｍ個の前記発光セルが取り付けられ、この棒状実装体の配列の間隔部分の多くは空間になっていることとする。
　【０００８】
　【作用】
　この発明のスクロール表示の原理はつぎの説明でごく簡単に理解できる。前記の「従来の技術」の項で説明した一般的なドットマトリクス型表示パネルを想定する。縦は１６ドットで横は１２８ドットの横長の表示パネルとする（もちろん縦横のドット間隔は等しい）。縦の１６ドットを発光セル列と呼ぶこととすると、この表示パネルは１２８本の発光セル列が等間隔に配列されたもので、その間隔は縦のドット間隔と等しい。そして、１６×１６ドットで１文字を構成したビットマップ形式の文字列の画像データをこの表示パネルに順次供給して横方向に移動するスクロール表示を行う。この例では同時に８文字を表示可能で、スクロール速度としては毎秒４文字とする（これは通常より相当速いスクロールである）。
　【０００９】
　前記の表示パネルにおいて、発光セル列を等間隔に５本に１本だけ活かし、他の４本は隠して見えないようにする。つまり、発光セル列の１本目を活かし、２本目から５本目までは隠し、６本目は活かし、７〜１０本目までは隠し、１１本目を活かす。以下同様にして１６本目、２１本目、２６本目というように、各発光セル列にその配列順に付けた番号をｍとし、ｎを整数としたとき、ｍ＝５ｎ＋１で表わされる合計２５本の発光セル列を活かし、他の１０３本の発光セル列をマスクして見えなくする。この状態で通常通りに文字列をスクロール表示する。５本に４本の割り合いで発光セル列が隠されているのに、人はスクロール文字を視認することができるのである。このことを確認して本発明がなされた。
　【００１０】
　マスクをしていない通常の状態では、１文字は１６本の発光セル列（１６×１６ドットの発光セル・マトリクス）で表示されるのであるが、マスクをしたのに相当するこの発明においては、１６本のうちの３本しか見えない。したがって、ある瞬間でとらえると、間隔が大きくあいた３本の表示では到底文字を認識することができない。しかし、ある速度以上でスクロール表示すると、はっきりと文字として認識できるのである。もちろん１６×１６ドットで構成された文字の品位で認識される。
　【００１１】
　以上の例を「課題を解決するための手段」の項に記載した表現にすると、ｍ＝１６個の発光セルを小さな一定間隔ｄ１で直線状に配列して棒状表示器（発光セル列）を構成し、この棒状表示器をｎ＝２５本用意して前記ｄ１の５倍の間隔で平行に配列する（ａ＝ｄ２÷ｄ１＝５となる）。そして、１６×１６ドットで１文字を構成したドットマトリクス形式の文字列の画像データを用意し、この画像データの各列のデータを順番に前記各棒状表示器にそれぞれ供給して表示ドライブする。このとき同時に、つぎのような時間的な制御を行う。多数の前記棒状表示器にその配列順につけた番号をｉとし、前記画像データの各列データに順番につけた番号をｊとし、前記整数ａを５とする。
　【００１２】
　前記中央制御装置は、ｉ列目の前記棒状表示器をｊ列目の前記列データで表示ドライブするときに、（ｉ＋１）列目の前記棒状表示器を（ｊ−５）列目の前記列データで表示ドライブするように、各棒状表示器にそれぞれ供給する列データ間に時間差をもたせるのである。
　【００１３】
　この装置においては、スクロール速度が大きいほど視認性が向上するが、文字の移動が速くなるため、文字列を読み取ることが難しくなる。表示しようとする１文字の幅が前記間隔ｄ２とほぼ同程度であってもスクロール速度が大きければ表示文字などの視認性が向上する。
　【００１４】
　前記各棒状表示器（発光セル列）は前記ｄ１の５倍以上の一定間隔ｄ２で平行に配列されており、その配列の間隔部分の多くは空間になっているので、その間隔部分を風が通るし、配列の向こう側が見通せる。
　【００１５】
　【実施例】
　この発明の
実施例の導入説明に用いる
　【００１６】
　各発光セル列Ａｉ（ｉ＝１、２、３、…）には１６ビットのドライブ回路ＤＳｉが付帯している。ドライブ回路ＤＳｉは、１６ビットのシフトレジスタとラッチドライバを一体化したものである。また各ドライブ回路ＤＳｉには１６×５＝８０ビットのシフトレジスタＳＲｉが付帯している。ｉ列目のシフトレジスタＳＲｉの出力端子ＯＵＴがつぎのｉ＋１列目のシフトレジスタＳＲｉ＋１の入力端子ＩＮに接続されており、全列のシフトレジスタが直列につながっている。また各列の出力端子ＯＵＴはドライブ回路ＤＳｉの入力ｉｎにもつながっている。
　【００１７】
　初段のシフトレジスタＳＲｉの入力端子ＩＮは中央制御装置２の画像メモリ３のデータ出力につながっており、また、このデータ伝送系全体が中央制御装置２のタイミング発生回路４からのクロックに同期してつぎのように動作する。
　【００１８】
　１６×１６ビットで１文字を構成したビットマップ形式の文字列の画像データが画像メモリ３に用意されているものとする。その画像データの各縦列の１６ビットのデータを列データと称し、各列データに順番にＤ１、Ｄ２、Ｄ３、…という番号をつける（一般項をＤｊと表記する）。
　【００１９】
　中央制御装置２は、画像メモリ３から各列データの順番で直列にデータを読み出して、直列接続された各シフトレジスタＳＲｉ列に直列に入力していく。各シフトレジスタＳＲｉは１６×５＝８０ビットの遅延回路として作用し、各列データＤｊが入力端子ＩＮに供給されてから５列分だけ遅延されてドライブ回路ＤＳｉに入力される。タイミング発生回路４は、列データの１６ビットを画像メモリ３から読み出すごとに、全ドライブ回路ＤＳｉに一斉にラッチ信号を供給する。つまり、画像データの各列のデータを順番に各列のドライブ回路に供給して発光セル列の１６個のＬＥＤ１をドライブ回路にラッチされた１６ビットの列データに従って表示ドライブする。
　【００２０】
　このとき同時に、シフトレジスタＳＲｉのデータ遅延作用により、つぎのような時間的な制御が行われる。ｉ列目の発光セル列Ａｉをｊ列目の列データＤｊで表示ドライブするときに、（ｉ＋１）列目の発光セル列Ａｉ＋１は（ｊ−５）列目の列データＤｊ−５で表示ドライブされる。このように、各発光セル列にそれぞれ供給する列データ間に５列分の時間差をもたせるのである。
　【００２１】
　以上の
説明
　【００２２】
　以上の
説明
　【００２３】
　
一方、この発明の実施例では
前記
選択的に転送して
　【００２４】
　このタイプの実施例を図５のブロック図と図６のフローチャートに示している。
この実施例は、表示ドライブの１周期ごとに画像メモリから各ドライブ回路に各列データを直列転送して分配する回路方式となっている
　【００２５】
　中央制御装置２の画像メモリ３には、縦１６ビットで横は自由な大きさのビットマップ形式の画像データが格納されている。その画像データの各縦列の１６ビットのデータを列データと称し、各列データに順番にＤ１、Ｄ２、Ｄ３、…という番号をつける（一般項をＤｊと表記する）。また、画像メモリ３は１ワード＝１６ビットの構成で、アドレスｊに列データＤｊが格納されているものとする。
　【００２６】
　中央制御装置２のプロセッサ５４が以下のようにして画像メモリ３をリードアクセスする。画像メモリ３から１６ビット並列に読み出される列データＤｊは並列／直列変換用のシフトレジスタ５５を介して直列になり、前述のようにｎ個の１６ビットシフトレジスタ５１が直列になった（１６×ｎ）ビットシフトレジスタに入力される。この（１６×ｎ）ビットシフトレジスタに中央制御装置２からｎ列分の列データを直列入力することで、ｎ個の１６ビットシフトレジスタ５１にそれぞれ１６ビットの列データを与えたことになる。この時点で中央制御装置２から各ドライブ回路ＤＳｉにラッチ信号を与え、シフトレジスタ５１のデータをラッチ回路５２に移し、そのデータによりドライバ５３で各ＬＥＤ１を駆動する。同時に各シフトレジスタ５１のデータを更新する。以上の動作を繰り返すことでスクロール表示が行われる。
　【００２７】
　中央制御装置２におけるプロセッサ５４のによる画像メモリ３のリードアクセスの制御手順を図６のフローチャートに示している。最初のステップ６０１ではスタートポインタＰを０にし、つぎのステップ６０２ではアドレスポインタｊにスタートポインタＰの値を移す（この説明の段階ではｊ＝Ｐ＝０となる）。また、ステップ６０３で列カウンタＣを０にする。
　【００２８】
　つぎのステップ６０４で、アドレスポインタｊが示すアドレスｊで画像メモリ３をリードアクセスし、読み出した列データＤｊを前記のように直列にして転送する。つぎのステップ６０５ではアドレスポインタｊに１０を加算する。この実施例では１６個のＬＥＤ１を小さな一定間隔ｄ１で直線状に配列してｎ個の発光セル列Ａ１、Ａ２、Ａ３、…Ａｎを設け、各発光セル列Ａ１、Ａ２、Ａ３、…Ａｎの列間隔ｄ２を各列中の前記セル間隔ｄ１の１０倍として平行に配設している。前記のアドレスポインタｊの加算値１０は、ｄ２÷ｄ１＝１０に対応している。
　【００２９】
　つぎのステップ６０６で列カウンタＣに１を加算し、つづくステップ６０７で列カウンタＣの値が最終値ｎに達したか否かをチェックする。Ｃ＝ｎになるまではステップ６０４に戻り、ステップ６０５で更新したアドレスポインタｊに従って画像メモリ３をリードアクセスする。Ｃ＝ｎになれば、ｎ個のシフトレジスタ５１にそれぞれ列データを分配したことになる。この場合はステップ６０８に進んで前述のようにラッチ信号を発生する。
　【００３０】
　つぎのステップ６０９ではスタートポインタＰに１を加算し、表示しようとする画像をスクロール方向に１単位だけ進めるための準備をする。つぎのステップ６１０では、スタートポインタＰの値が表示しようとする画像の端を示す値ＭＡＸに達したか否かをチェックする。Ｐ＝ＭＡＸになるまではステップ６０２に戻り画像のスクロールを進め、Ｐ＝ＭＡＸになるとステップ６０１に戻って画像のスクロールを最初からやり直す。
　【００３１】
　以上説明したスクロール表示の制御原理をさらに一般化して説明すると、つぎのようになる。つまり、（ｍ×Ｗ）ドットの画素構成と見なしている前記仮想表示領域に前記画像データを仮想的に展開するとともにｎ本の前記各発光セル列の配列パターンを仮想的に重ね合わせ、それぞれの発光セル列のｍ個の各セルの位置にそれぞれ重なるｍドット分のデータを前記メモリから抽出して該当の前記発光セル列の駆動回路に供給するのに相当するデータ抽出操作を行い、また、前記仮想表示領域に展開する前記画像データの位置をスクロール方向に少しずつ移動させながら前記のデータ抽出操作を繰り返す。
　【００３２】
　つぎに、この発明のスクロール表示装置の外観的な形態について説明する。たとえば競馬場において、表示装置を中央フィールド（内馬場）に設置してスタンドの観客に向けて前述のスクロール表示を行う。この実施例の概略を図３に示している。この場合、高輝度のＬＥＤ集合ランプなどの発光セル１を１０センチメートル間隔で６４個直線状に配列した全長７メートル程度の棒状表示器１０を多数設ける。この棒状表示器１０の下端部を地面に埋め込んで垂直に立設する。２３本の棒状表示器１０を５０センチメートル間隔で平行に配設し、全体が１つの平面をなすように配置する。もちろん、各棒状表示器１０の正面（発光セル列のある面）をスタンドに向けて揃える。こうすると縦６．４メートル×横１１．５メートルの巨大サイズの画面が構成でき、この画面に縦６４ドット×横１１５０ドットの品位の画像をスクロール表示できる。表示サイズが巨大であるにも係わらず、装置の主体は２３本の棒状表示器１０からなり、その運搬、設置、撤去も非常に簡単であり、設置状態で風圧をあまり受けないので、設置強度をそれほど大きくしなくても良い。もちろん、装置価格が従来のドットマトリクス型の表示パネルに比べて大幅に安くなる。
　【００３３】
　また図３に明示しているように、５０センチメートル間隔で設置された２３本の棒状表示器１０の配列による縦６．４メートル×横１１．５メートルの巨大サイズの表示画面の向こう側をほとんど支障なく見通すことができる。
　【００３４】
　つぎの例はもっと小型の表示装置である。図４にその使用例を示している。これは、自動車に常時積んでおいて事故発生時などに後続車に異常を知らせる表示装置である。多数（１６個または３２個）のＬＥＤを小さな一定間隔ｄ１で直線状に配列してなる全長４０センチメートル程度の棒状表示器２０を多数設け（１６本）、これら棒状表示器２０をリンク機構２１により結合し、各棒状表示器２０を前記ｄ１の数倍以上の一定間隔ｄ２で平行に配置させる伸長状態（図の状態）と、各棒状表示器２０を密に集積する収縮状態とに折り畳み自在に構成している。図示例では「故障注意」という文字列をスクロール表示している。これを折り畳めば自動車のトランクに容易に収納できる大きさになる。ｄ１を１センチメートル、ｄ２を５センチメートルとすれば、使用状態では横幅が７５センチメートルの大きさの表示画面が形成される。１本の棒状表示器２０の幅を１センチメートルとすれば、折り畳み状態では全体の横幅を１８センチメートル程度まで小さくできる。
　【００３５】
　また図７に示すように、各棒状表示器２０を大きなほぼ一定間隔でほぼ平行に配置して複数本の紐状体７１で相互に連結した装置構成を採れる。この場合は、ビルの屋上から壁面に沿って棒状表示器の平行列を垂れ下げたり、あるいは壁面に沿って水平方向に広げて、広告や案内メッセージを表示するなどの用途が考えられる。この場合の特徴は、不必要なときには装置を小さくまるめて倉庫に保管しておき、必要なときに必要な場所で広げて大サイズ（長尺）の画面を形成し、前記のスクロール表示を行うことができることである。
　【００３６】
　図１の
説明
　【００３７】
　【発明の効果】
　この発明によれば、少ない数の発光セルにより大サイズで精細な画像を視認可能なスクロール表示を行うことができ、さまざまな状況下でさまざまな装置形態でこのスクロール表示を実施できる。いずれの場合も従来のドットマトリクス型表示パネルに比べ、精細な表示性能や表示サイズの大きさから見て大幅に装置価格を安くすることができる。
　【００３８】
　具体的な装置形態として、多数の発光セルを小さな一定間隔で直線状に配列してなる棒状表示器を多数設け、これら棒状表示器を空間内において大きな一定間隔で平行に配設する構成を採用した場合、巨大サイズの表示を行うにも装置の設置や撤去がきわめて簡単であり、また風圧などの影響をほとんど受けない装置となる。大きな表示画面を形成する各棒状表示器（発光セル列）の間隔部分を通して前後の見通しがきく。
　【００３９】
　また、多数の発光セルを小さな一定間隔で直線状に配列してなる棒状表示器を多数設け、これら棒状表示器をリンク機構により結合し、各棒状表示器を大きな一定間隔で平行に配置させる伸長状態と、各棒状表示器を密に集積する収縮状態とに折り畳み自在に構成したり、また、各棒状表示器を大きな一定間隔で平行に配置して複数本の紐状体で相互に連結した構成とすれば、装置を小さくまとめて収納したり運搬でき、使用時には大きく広げて大サイズの表示を行うことができる。このようなフレキシブルな装置形態により、従来の剛体のドットマトリクス型表示パネルとは異なる新しい用途が広がる。
【図面の簡単な説明】
　【図１】
　この発明の
実施例の導入説明に用い
　【図２】
　この発明のスクロール表示装置の原理的な説明図である。
　【図３】
　この発明の一実施例によるスクロール表示装置の概略図である。
　【図４】
　この発明の他の実施例によるスクロール表示装置の概略図である。
　【図５】
　この発明の他の実施例によるスクロール表示装置におけるデータ伝送系のブロック図である。
　【図６】
　図５の実施例における画像データ読み出し処理の制御手順を示すフローチャートである。
　【図７】
　この発明の他の実施例によるスクロール表示装置の概略図である。
　【符号の説明】
１　発光セル
２　中央制御装置
３　画像メモリ
４　タイミング発生回路
１０、２０　棒状表示器
５１　シフトレジスタ
５２　ラッチ回路
５３　ドライバ
８０　紐状体
ＤＳｉ　ドライブ回路
ＳＲｉ　シフトレジスタ
Ａｉ　発光セル列
Ｄｊ　列データ